(57)【要約】【課題】  より効率良く人体の体温調節が可能な体温調節用パッドおよびこれを備える体温調節装置を提供する。【解決手段】  本発明の体温調節用パッドは、パッド本体と、導入管と、排出管とを備える。パッド本体２の内部に設けられる流路２０は、熱交換流体が流入する流入口２１から熱交換流体が流出する流出口２２まで分岐しない単一の渦巻き状流路となっている。この流路２０の流入口２１は、渦巻きの外周側に設けられ、流出口２２は渦巻きの中心側に設けられる。導入管は、熱交換流体を流路に導入するために、パッド本体２の流入口２１に接続される。排出管は、流出口２２から流出した熱交換流体を排出するために、流出口２２に接続される。【選択図】      図２
2016159120.tif 000002
【特許請求の範囲】
【請求項１】
人体に接触させて体温を調節する体温調節用パッドであって、
人体に接触させるパッド本体であって、熱交換流体が流入する流入口と熱交換流体が流出する流出口とを有する流路を内部に有し、前記流路は、前記流入口から前記流出口まで分岐しない単一の渦巻き状流路であり、前記流入口が外周側に設けられ、前記流出口が中心側に設けられるパッド本体と、
前記流入口に接続され、前記熱交換流体を前記流路に導入する導入管と、
前記流出口に接続され、前記流出口から流出した前記熱交換流体を排出する排出管と、を備えることを特徴とする体温調節用パッド。
【請求項２】
前記パッド本体は、
板状の筐体と、
前記筐体内に収容され、渦巻き状に巻回された単一の管状部材であって、前記流路を形成する管状部材と、を有することを特徴とする請求項１記載の体温調節用パッド。
【請求項３】
前記パッド本体は、
前記管状部材の外表面と前記筐体の内表面との間隙に充填された熱伝導材を有することを特徴とする請求項２記載の体温調節用パッド。
【請求項４】
前記パッド本体は、
板状の筐体と、
前記筐体内の空間を渦巻き状に仕切る仕切壁と、を有し、前記筐体の内表面と前記仕切壁の表面とで囲まれた空間によって前記熱交換流体を流す流路が形成されることを特徴とする請求項１記載の体温調節用パッド。
【請求項５】
請求項１〜４のいずれか１つに記載の体温調節用パッドと、
前記導入管と前記排出管とを接続する循環流路および前記排出管から排出された熱交換流体を前記導入管に向かって送給する送給部を有する循環手段と、
前記循環流路内を流れる熱交換流体を予め定める温度に調節する流体温度調節手段と、を備えることを特徴とする体温調節装置。
【発明の詳細な説明】
【技術分野】
【０００１】
本発明は、人体に接触させて体温を調節するための体温調節用パッドおよび体温調節装置に関する。
【背景技術】
【０００２】
近年、脳梗塞、脳出血、心肺停止蘇生後、交通事故などによる頭部外傷などの状態にある患者に対して体温を低下させて脳の保護を行う脳低温療法が確立されている。
【０００３】
脳低温療法には、どのように体温を低下させるかによって、主に２つの療法がある。人体の表面に冷却材などを貼り付けて体温を低下させる表面冷却法と、血液を直接冷却装置で冷却して体温を低下させる深部冷却法である。
【０００４】
深部冷却法は、早く体温を低下させることができるというメリットがあるが、血液を直接冷却するため、外科的に体内にデバイスを挿入する必要があり、導入までに時間を要する。脳低温療法は、受傷の早期に処置を開始しないとその効果が十分に得られないとされているので、準備が簡便な表面冷却法が有効である。
【０００５】
また、脳低温療法には、患者の状態に応じて体温をどの程度にまで低下させるか、何時間程度低体温を保持するのかなどによって種々の方法を選択することも必要である。表面冷却法で冷却材や氷水などを用いて体温を低下させる場合には、目的の体温にまで低下させたり、一定の体温で維持するための体温のコントロールが困難である。
【０００６】
このような場合には、内部に熱交換流体を流すことができる医療用パッドを用いることが好ましく、熱交換流体の温度を体温より低い温度に適宜設定することで、目的の体温にまで低下させたり、一定の体温で維持することができるようになる。特許文献１記載の熱交換構造体および特許文献２記載のパッドは、医療用パッドの一例である。
【０００７】
また、低体温症などの疾患に対しては、冷却ではなく加温して体温を上昇させることが治療法として有効であり、この場合には、熱交換流体を体温よりも高くして医療用パッド内に流せばよい。
【先行技術文献】
【特許文献】
【０００８】
【特許文献１】特開２００４−２０２１６６号公報
【特許文献２】特開２０１３−５３５２９５号公報
【発明の概要】
【発明が解決しようとする課題】
【０００９】
脳低温療法では、処置の初期段階では、早期に目的の体温にまで低下させ、中期の段階では、体温を一定温度に維持し、終期の段階では復温させる。特許文献１および特許文献２記載の冷却パッドでは、たとえば、熱交換流体の流路が枝分かれしているため、パッド内の流路の下流において、流体の流速が低下してしまい、流路の入り口と出口とがいずれもパッドの中央部分にあり、パッドの表面温度が一様ではないため、熱交換効率が悪くなってしまう。このような問題は、冷却の場合に限らず、体温を上昇させるためにパッド内に体温よりも高温の熱交換流体を流す加温の場合も同様に生じる問題である。
【００１０】
本発明の目的は、より効率良く人体の体温調節が可能な体温調節用パッドおよびこれを備える体温調節装置を提供することである。
【課題を解決するための手段】
【００１１】
本発明は、人体に接触させて体温を調節する体温調節用パッドであって、
人体に接触させるパッド本体であって、熱交換流体が流入する流入口と熱交換流体が流出する流出口とを有する流路を内部に有し、前記流路は、前記流入口から前記流出口まで分岐しない単一の渦巻き状流路であり、前記流入口が外周側に設けられ、前記流出口が中心側に設けられるパッド本体と、
前記流入口に接続され、前記熱交換流体を前記流路に導入する導入管と、
前記流出口に接続され、前記流出口から流出した前記熱交換流体を排出する排出管と、を備えることを特徴とする体温調節用パッドである。
【００１２】
また本発明は、前記パッド本体は、
板状の筐体と、
前記筐体内に収容され、渦巻き状に巻回された単一の管状部材であって、前記流路を形成する管状部材と、を有することを特徴とする。
【００１３】
また本発明は、前記パッド本体は、
前記管状部材の外表面と前記筐体の内表面との間隙に充填された熱伝導材を有することを特徴とする。
【００１４】
また本発明は、前記パッド本体は、
板状の筐体と、
前記筐体内の空間を渦巻き状に仕切る仕切壁と、を有し、前記筐体の内表面と前記仕切壁の表面とで囲まれた空間によって前記熱交換流体を流す流路が形成されることを特徴とする。
【００１５】
また本発明は、上記の体温調節用パッドと、
前記導入管と前記排出管とを接続する循環流路および前記排出管から排出された熱交換流体を前記導入管に向かって送給する送給部を有する循環手段と、
前記循環流路内を流れる熱交換流体を予め定める温度に調節する流体温度調節手段と、を備えることを特徴とする体温調節装置である。
【発明の効果】
【００１６】
本発明によれば、人体に接触させて体温を調節する体温調節用パッドであって、内部に熱交換流体を流す流路が設けられた板状のパッド本体を有するものである。パッド本体内の流路は、前記熱交換流体が流入する流入口から前記熱交換流体が流出する流出口まで分岐しない単一の渦巻き状流路であり、前記流入口が外周側に設けられ、前記流出口が中心側に設けられる。
【００１７】
このようなパッド本体を備える体温調節用パッドは、流路の枝分かれや流路の屈曲部分などに起因する熱交換流体の流速の低下が生じず、流入口から流出口まで一定の流速で熱交換流体を流路に流すことができ、また接触面の面方向における温度のばらつきを少なくすることができるので、たとえば、脳低温療法など体温の調節が必要な医療処置において、さらに効率良く体温調節を行うことが可能となる。
【００１８】
また本発明によれば、パッド本体は、板状の筐体と、前記筐体内に収容され、渦巻き状に巻回された単一の管状部材であって、前記流路を形成する管状部材と、を有するので、簡単な構成でパッド本体を形成することができる。
【００１９】
また本発明によれば、パッド本体は、管状部材の外表面と前記筐体の内表面との間隙に充填された熱伝導部材を有する。熱伝導部材によって、流路から筐体の表面までの熱抵抗を低くすることができ、人体との熱交換効率を向上させることができる。
【００２０】
また本発明によれば、パッド本体は、板状の筐体と、筐体内の空間を渦巻き状に仕切る仕切壁と、を有する。筐体の内表面と前記仕切壁の表面とで囲まれた空間によって前記熱交換流体を流す流路が形成される。
【００２１】
これにより、流路から筐体の表面までの熱抵抗を低くすることができ、人体との熱交換効率を向上させることができる。
【００２２】
また本発明によれば、上記の体温調節用パッドと、前記導入管と前記排出管とを接続する循環流路および前記排出管から排出された熱交換流体を前記導入管に向かって送給する送給部を有する循環手段と、前記循環流路内を流れる熱交換流体を予め定める温度に調節する流体温度調節手段と、を備える体温調節装置である。
【００２３】
この体温調節装置は、上記の体温調節用パッドを用いることにより、たとえば、脳低温療法など体温の調節が必要な医療処置において、さらに効率良く体温調節を行うことが可能となる。
【図面の簡単な説明】
【００２４】
【図１】本発明の実施形態である体温調節用パッド１の外観を示す斜視図である。
【図２】流路の流れ方向に平行にパッド本体２を切断したときの断面形状の例を示す模式図である。
【図３】各実施例のパッド本体２の流路に直交する切断面で切断した部分断面図である。
【図４Ａ】出口ポート部材３０の縦断面図である。
【図４Ｂ】出口ポート部材３０の横断面図である。
【図５】流路の流れ方向に平行にパッド本体２を切断したときの断面形状の他の例を示す模式図である。
【図６】本発明の他の実施形態である体温調節装置１００の構成を示す概略図である。
【発明を実施するための形態】
【００２５】
図１は、本発明の実施形態である体温調節用パッド１の外観を示す斜視図である。体温調節用パッド１は、パッド本体２と、導入管３と、排出管４とを備える。
【００２６】
パッド本体２は、内部に熱交換流体を流す流路が設けられた扁平の板状に形成された部材である。導入管３は、熱交換流体を流路に導入するために、パッド本体２の流入口に接続される。排出管４は、流出口から流出した熱交換流体を排出するために、流出口に接続される。
【００２７】
本実施形態の体温調節用パッド１は、パッド本体２の接触面を人体の皮膚表面などに接触させ、パッド本体２の内部の流路に熱交換流体を流すことで、パッド本体２を介して人体と熱交換流体とが熱交換し、人体の体温を調節することができる。流路に流す熱交換流体の温度を体温よりも低温とすると、人体を冷却することができ、流路に流す温度を体温よりも高温とすると、人体を加温することができる。
【００２８】
図２は、流路の流れ方向に平行にパッド本体２を切断したときの断面形状の例を示す模式図である。パッド本体２の内部に設けられる流路２０は、熱交換流体が流入する流入口２１から熱交換流体が流出する流出口２２まで分岐しない単一の渦巻き状流路となっている。この流路２０の流入口２１は、渦巻きの外周側に設けられ、流出口２２は渦巻きの中心側に設けられる。
【００２９】
導入管３は、パッド本体２の側面に接続されており、排出管４は、パッド本体２の主面中心に接続されている。導入管３によって導入される熱交換流体は、流入口２１からパッド本体２の流路２０内に流入し、流入した熱交換流体は、流路２０の形状に沿って外周側から中心側に向かって流路２０内を流れる。渦巻き状の流路２０の中心に達した熱交換流体は、流出口２２から流出し、排出管４を通って体温調節用パッド１外部へと排出される。
【００３０】
上記のように、パッド本体２内部の流路２０は、分岐の無い単一の渦巻き状の流路であるので、流路の枝分かれや流路の屈曲部分などに起因する熱交換流体の流速の低下が生じず、流入口２１から流出口２２まで一定の流速で熱交換流体を流路２０に流すことができる。
【００３１】
また、流路２０は、流入口２１が外周側にあり、流出口２２が中心側にあるので、流路２０内を流れる熱交換流体は、人体と熱交換しながら外周から中心に向かって流れる。これにより、接触面の面方向における温度のばらつきを少なくすることができる。
【００３２】
したがって、本実施形態の体温調節用パッド１を用いることで、たとえば、脳低温療法など体温の調節が必要な医療処置において、さらに効率良く体温調節を行うことが可能となる。
【００３３】
本実施形態の体温調節用パッド１は、パッド本体２の内部に設けられる流路２０が上記のような分岐の無い単一の渦巻き状の流路であれば、流路の断面形状は特に限定されないが、流入口２１から流出口２２まで断面形状は変化がなく一様の形状であることが好ましく、形状としては例えば、真円および楕円を含む円形状、矩形状を含む多角形状または不定形であってもよい。
【００３４】
パッド本体２は、人体との熱交換効率をより向上させるために、接触面と人体表面との間に隙間が生じないよう、可撓性を有する軟質材料で構成されるのが好ましい。ただし、可撓性が高すぎると、パッド本体２の変形により流路２０の一部が変形して、流路２０を流れる熱交換流体の流速が変動したりしてしまうので、人体表面の形状に沿う程度の可撓性があればよい。
【００３５】
パッド本体２を構成する部材は、流路２０を流れる熱交換流体によって性状などの変化が生じない材料で構成されていれば、特に限定されない。上記のように可撓性を有する軟質の材料としては、軟質ポリ塩化ビニルの様なポリマー材料などを用いればよい。
【００３６】
流路２０に流す熱交換流体の観点からは、熱交換流体が、４℃〜４２℃の水である場合、パッド本体２を構成する部材は、たとえば、軟質ポリ塩化ビニル、ポリエチレン、ポリプロピレンなどを用いることが好ましく。また、熱交換流体が、各種機能を付加するための抗菌剤などの添加剤を含有する水やエチレングリコール、プロピレングリコールなどの不凍液である場合は、たとえば、耐薬品性に優れた軟質テフロン(登録商標)などを構成材料として用いることが好ましい。
【００３７】
次に、本実施形態の体温調節用パッド１の２つの実施例について説明する。図３は、各実施例のパッド本体２の流路に直交する切断面で切断した部分断面図である。図３（ａ）は、実施例１の部分断面図を示し、図３（ｂ）は、実施例２の部分断面図を示す。
【００３８】
実施例１は、パッド本体２が、板状の筐体２３と、この筐体内に収容されるチューブ２４とを含んで構成される。この筐体２３の一方主面２３ａが人体と接触する接触面となっている（以下では、「接触面２３ａ」という）。チューブ２４は、可撓性を有する単一の管状部材であり、渦巻き状の巻回された状態で筐体２３内に収容される。したがって、チューブ２４の管路が、熱交換流体を流す流路２０を構成する。渦巻き状に巻回されたチューブ２４の外周側に位置する開口端が流入口２１であり、渦巻き状の中心側に位置する開口端が流出口２２である。
【００３９】
図３（ａ）に示す例では、チューブ２４として断面形状が円形状である円管を用いているが、これに限らず、断面形状が矩形状である角管や断面形状が多角形または不定形である管状部材を用いてもよい。
【００４０】
また通常、筐体２３は、一対の平板と、この一対の平板の周縁同士を繋ぐ側壁とからなり、図３（ａ）に示すようにチューブ２４として円管を用いた場合、一対の平板２５，２６の内表面と、チューブ２４の外表面との間には間隙が生じる。このような間隙内には、空気が存在するので、間隙内の空気が、チューブ２４内を流れる熱交換流体と接触面２３ａとの間における熱抵抗となり、体温調節用パッド１として熱交換効率が低下してしまうおそれがある。
【００４１】
間隙による熱抵抗を下げるために、間隙に熱伝導部材２７を充填することが好ましい。充填する熱伝導部材２７としては、軟質でかつ空気よりも熱伝導性の良好な部材であればよく、たとえば、シリコーン樹脂、炭素繊維複合ゴムなどを用いることができる。
【００４２】
なお、熱伝導部材２７を充填する間隙は、一対の平板２５，２６の内表面と、チューブ２４の外表面との間の間隙の一部でもよく全部でもよい。間隙の一部に熱伝導部材２７を充填する場合は、一対の平板２５，２６のうち、人体との接触面２３ａを有する平板２５の内表面と、チューブ２４の外表面との間の間隙に充填することが好ましい。そして、他方の平板２６の内表面と、チューブ２４の外表面との間の間隙には、熱伝導部材２７を充填しない方が好ましい。平板２６の内表面とチューブ２４の外表面との間の間隙に熱伝導部材２７を充填すると、接触面２３ａとは反対側の面２６ａとの間の熱抵抗も低下するので、この反対側の面２６ａに接触する、たとえば外気とチューブ２４内を流れる熱交換流体との熱交換までもが促進されてしまう。
【００４３】
平板２６の内表面と、チューブ２４の外表面との間の間隙に熱伝導部材２７を充填しなければ、反対側の面２６ａとの間の熱抵抗は、接触面２３ａとの間の熱抵抗よりも高くなり、接触面２３ａに接触する人体とチューブ２４内を流れる熱交換流体との熱交換効率がより向上する。
【００４４】
またさらに、平板２６の外表面である面２６ａに接触する外気だけでなく、側壁２８の外表面である面２８ａに接触する外気とチューブ２４内を流れる熱交換流体との熱交換も発生する。このような外気との熱交換は、人体との熱交換効率を低下させる原因となるので、このような不要な熱交換の発生を防止するために、平板２６の外表面である面２６ａおよび側壁２８の外表面である面２８ａを覆うように断熱材２９を設けることが好ましい。
【００４５】
断熱材２９を設けることで、断熱材２９のさらに外部で断熱材２９に接触する外気が存在していても、断熱材２９によってこのような外気とチューブ２４内を流れる熱交換流体との熱交換を発生しないようにすることができるので、チューブ２４内を流れる熱交換流体との熱交換は、ほぼ平板２５の外表面である接触面２３ａに接触する人体との熱交換となり、人体との熱交換効率がさらに向上する。
【００４６】
断熱材２９は、平板２６および側壁２８に接合または接着することが可能であり、外気との熱交換がほぼ生じないような熱抵抗を有する材料であれば、どのような材料を用いてもよいが、たとえば、発泡ポリエチレンやウレタンフォームなどを用いることができる。
【００４７】
ここで、パッド本体２の外周に位置する流入口２１は、開口する方向が流路２０の流れ方向と同じ方向であるが、中心に位置する流出口２２は、流れ方向に直交する方向に開口する。すなわち平板２６の外表面である面２６ａに流出口２２は開口する。そうすると、渦巻きの中心にあるチューブ２４の開口端の部分を９０度屈曲させる必要がある。チューブ２４が比較的柔軟性の高い材料からなる場合は、９０度屈曲させることも可能であるが、柔軟性の低い材料からなる場合には、屈曲させることは難しい。
【００４８】
実施例１では、流出口２２付近では、チューブ２４とは別部材である出口ポート部材３０を用いることが好ましい。
【００４９】
図４Ａは、出口ポート部材３０の縦断面図であり、図４Ｂは、出口ポート部材３０の横断面図である。出口ポート部材３０は、約一巻きの渦巻き状の流路３１が内部に設けられるポート本体３２と、ポート本体３２外周にある、流路３１の流入口に接続され、チューブ２４の中心側開口端に内挿される接続部３３と、ポート本体３２の上面中央にある、流路３１の流出口と排出管４とを連結する連結部３４とを有する。
【００５０】
このような構成の出口ポート部材３０を筐体２３の中心に、連結部３４を露出させるように配置する。チューブ２４の中心側開口端から流出する熱交換流体は、接続部３３を介してポート本体３２内の流路３１を流れ、流出口から流出して連結部３４内の流路を通り、排出管４へと流れる。
【００５１】
このような出口ポート部材３０を用いることで、チューブ２４の中心側開口端の部分を屈曲させることなく、熱交換流体の流れを出口ポート部材３０で屈曲させて、流出させることができる。
【００５２】
実施例２は、パッド本体２が、板状の筐体２３と、筐体２３内の空間を渦巻き状に仕切る仕切壁４０とを含んで構成される。空間を渦巻き状に仕切るので、仕切壁４０は、筐体２３を構成する一対の平板２５，２６の内表面間にわたって設けられており、仕切壁４０自体が渦巻き状に設けられている。この渦巻き状の仕切壁４０を設けることによって、筐体２３の内表面と仕切壁４０の表面とで囲まれた空間が熱交換流体を流す流路２０を構成する。
【００５３】
実施例２は、実施例１とは異なり、実施例１のようなチューブ２４の外表面と筐体２３の内表面との間の間隙は無い。言い換えると、筐体２３の内部には、流路２０以外の空間が存在しない。
【００５４】
流路２０を流れる熱交換流体と平板２５の外表面である接触面２３ａに接触する人体との間の熱抵抗となるのは、平板２５のみであるので、実施例１よりも熱抵抗が低くなり人体との熱交換効率が向上する。
【００５５】
一方、実施例２でも実施例１と同様に、平板２６の外表面である面２６ａに接触する外気および側壁２８の外表面である面２８ａに接触する外気と流路２０を流れる熱交換流体との熱交換も発生する。この外気との間の熱抵抗となるのは、平板２６または側壁２８のみであるので、外気との熱交換効率も上昇してしまう。
【００５６】
この不要な外気との熱交換の発生を防止するためには、実施例１と同様に平板２６の外表面である面２６ａおよび側壁２８の外表面である面２８ａを覆うように断熱材２９を設けることが好ましい。
【００５７】
断熱材２９を設けることで、断熱材２９のさらに外部で断熱材２９に接触する外気が存在していても、断熱材２９によってこのような外気と流路２０を流れる熱交換流体との熱交換を発生しないようにすることができるので、流路２０を流れる熱交換流体との熱交換は、ほぼ平板２５の外表面である接触面２３ａに接触する人体との熱交換となり、人体との熱交換効率がさらに向上する。
【００５８】
実施例２の断熱材２９の材料としては、前述の実施例１の断熱材２９と同じ材料を用いることができる。
【００５９】
なお、上記の実施例１および実施例２は、本発明の実施例の一例であり、本発明は、実施例１および実施例２の構成には限定されない。パッド本体２の内部に設けられる流路２０が、熱交換流体の流入する流入口２１から熱交換流体の流出する流出口２２まで分岐しない単一の渦巻き状流路となっており、流入口２１が、渦巻きの外周側に設けられ、流出口２２が渦巻きの中心側に設けられるものであれば、本発明の体温調節用パッド１は、どのような構成であってもよい。
【００６０】
また、本発明における渦巻き状の流路は、たとえば図２の断面図に示すように外形が円形となるような渦巻き状であることが好ましいが、これに限られない。図５は、流路の流れ方向に平行にパッド本体２を切断したときの断面形状の他の例を示す模式図である。図５に示す例では、外形が矩形状であるが、これ以外にも外形が多角形状であってもよく、不定形であってもよい。
【００６１】
図６は、本発明の他の実施形態である体温調節装置１００の構成を示す概略図である。体温調節装置１００は、上記の体温調節用パッド１と、熱交換装置５０と、を備える。以下では、体温調節装置１００として、体温冷却装置を例として説明する。
【００６２】
熱交換装置５０は、熱交換流体、たとえば水を貯留するタンク５１、体温調節用パッド１の排出管４と接続し、排出された熱交換流体をタンク５１へと戻すための戻し配管５２、タンク５１に貯留される熱交換流体を冷却するためのペルチェユニット５３、体温調節用パッド１の導入管３に接続され、タンク５１から吐出される、冷却された熱交換流体を体温調節用パッド１へと供給する供給配管５４、タンク５１から体温調節用パッド１まで熱交換流体を送給させるポンプ５５を含んで構成される。ペルチェユニット５３は、複数のペルチェ素子とペルチェ素子を冷却するためのファンなどを備える。
【００６３】
排出管４から排出された熱交換流体を導入管３に戻す循環手段は、タンク５１、戻り配管５２および供給配管５４からなる循環流路とポンプ５５からなる送給部によって構成される。循環流路内を流れる熱交換流体を予め定める温度に調節する流体温度調節手段は、ペルチェユニット５３によって構成される。
【００６４】
体温調節用パッド１の内部の流路２０を流れる熱交換流体は、人体との熱交換により人体の熱を奪って体温を低下させる代わりに、熱交換流体の温度は上昇する。温度が上昇した熱交換流体は、戻り配管５２を通ってタンク５１にまで戻り、タンク５１に貯留された熱交換流体は、ペルチェユニット５３によって、予め定める温度にまで冷却される。なお本実施形態の例においては、戻り配管５２の流路内に、流体の温度を測定する温度計５６が設置されており、タンク５１へと戻る熱交換流体の温度が監視される。図示しない制御ユニットによって、温度計５６の測定結果に応じて、ペルチェユニット５３の動作条件が設定され、熱交換流体が予め定める温度に冷却される。
【００６５】
冷却された熱交換流体は、ポンプ５５によって送給され、供給配管５４を通って体温調節用パッド１に供給される。ポンプ５５の動作条件は、制御ユニットが、供給配管５４内に設置される流量計５７で測定した流量に基づいて設定する。
【００６６】
なお、上記では、流体温度調節手段としてペルチェ素子を用いるペルチェユニットを例に説明したがこれに限らず、コンプレッサ、エバポレータおよびコンデンサなどを組合わせた熱交換器を用いてもよい。
【００６７】
脳低温療法について一例を示すと、処置の初期段階では、１時間以内に体温を３４℃以下にまで冷却し、その後の中期の段階（たとえば、１〜２４時間程度）では、体温を３２℃〜３４℃に維持し、終期の段階では、冷却を止めて体温を復温させる。
【００６８】
本実施形態の体温調節用パッド１および体温調節装置１００は、初期段階での急速な冷却および中期段階での低体温の維持において好適に用いられる。また、熱交換流体の温度を体温程度として、終期段階での復温に使用することもできる。
【００６９】
また、コンプレッサによる熱交換器を用いる体温調節装置１００は、特に初期段階での急速冷却に好適である。また、ペルチェユニットを用いる体温調節装置１００は、特に中期段階での低体温の維持に好適であり、コンプレッサによる熱交換器に比べて装置規模を小さくすることができ消費電力も低くすることができる。
【符号の説明】
【００７０】
１      体温調節用パッド
２      パッド本体
３      導入管
４      排出管
２０    流路
２１    流入口
２２    流出口
２３    筐体
２３ａ  接触面
２４    チューブ
２５    平板
２６    平板
２６ａ  面
２７    熱伝導部材
２８    側壁
２８ａ  面
２９    断熱材
３０    出口ポート部材
３１    流路
３２    ポート本体
３３    接続部
３４    連結部
４０    仕切壁
５０    熱交換装置
５１    タンク
５２    戻り配管
５３    ペルチェユニット
５４    供給配管
５５    ポンプ
５６    温度計
５７    流量計
１００  体温調節装置
【図１】
2016159120.tif 000003
【図２】
2016159120.tif 000004
【図３】
2016159120.tif 000005
【図４Ａ】
2016159120.tif 000006
【図４Ｂ】
2016159120.tif 000007
【図５】
2016159120.tif 000008
【図６】
2016159120.tif 000009